(57)【特許請求の範囲】
【請求項１】
工事現場に配置される工事現場用デジタルサイネージ装置であって、
外形が直方体に形成されるとともに防水防塵加工がなされた内部を有し、前記直方体の前面に画像を表示する液晶表示画面が配置された本体部と、
４つの車輪が取り付けられ、前記本体部を載置する台座部と、を備え、
前記本体部の前記内部に、前記本体部の内部と外部との間で無線通信により情報の送受信を行うための通信部と、前記液晶表示画面に画像を表示させる液晶表示画面制御部と、前記液晶表示画面制御部を制御する制御部と、を有し、
前記制御部は、前記本体部の外部より送られるデータを前記通信部を介して受信し、前記データに基づいて前記液晶表示画面制御部を制御して前記液晶表示画面に表示させ、
前記本体部の直方体の両側面の上方及び下方にそれぞれ取手が取り付けられ、前記取手が使われて前記台座部が前記車輪で移動し、
前記直方体の上面は２本のアイボルトが取り付けられ、前記本体部及び前記台座部が吊り上げられる工事現場用デジタルサイネージ装置。
【請求項２】
前記データは工事現場に応じた情報及び災害情報を含み、
前記制御部は、災害が発生した時には、前記工事現場に応じた情報から前記災害情報に切り替えて、前記液晶表示画面に表示させる請求項１に記載の工事現場用デジタルサイネージ装置。
【請求項３】
前記前面の反対側の後面の下方に配置され、前記本体部の内部に外気を取り入れるための通気口と、
前記本体部の前記内部に、前記通気口から取り入れた外気を前記本体部の内部の上方に送るための第１冷却ファンと、
前記後面の上方に取り付けられ、前記第１冷却ファンで前記本体部の内部の上方に送られた外気を前記本体部の外部に排出するための第２冷却ファンと、
前記本体部の内部に水及び塵等が入らないように、前記通気口と前記第２冷却ファンに設けられた防水防塵加工がなされたフィルタと、を備える請求項１又は請求項２に記載のに記載の工事現場用デジタルサイネージ装置。
【請求項４】
前記本体部の外側表面には１つのみのスイッチが配置されており、前記スイッチは、前記制御部が通電されている状態で押された場合には前記制御部を起動させ、前記制御部が起動している状態で押された場合には所定の停止過程を経た後に前記制御部を停止させる請求項１から請求項３いずれか一項に記載の工事現場用デジタルサイネージ装置。
【請求項５】
前記通信部は、非接触型ＩＣチップの情報の受信がなされる請求項１から請求項４のいずれか一項に記載の工事現場用デジタルサイネージ装置。
【請求項６】
前記本体部の内部には、前記制御部に接続され前記本体部の内部の温度を測定する温度測定部が配置され、
前記第１冷却ファン及び前記第２冷却ファンは前記制御部に接続されて前記温度測定部の測定温度に応じて制御される請求項３に記載の工事現場用デジタルサイネージ装置。
【請求項７】
前記本体部は、前記台座部上で前記前面方向にスライドし、又は前記台座部上において水平面内で回転する請求項１から請求項６のいずれか一項に記載の工事現場用デジタルサイネージ装置。
【請求項８】
前記台座部には、地面から前記本体部に伝わる振動を減衰させる防振部を備える請求項１から請求項７のいずれか一項に記載の工事現場用デジタルサイネージ装置。
【発明の詳細な説明】
【技術分野】
【０００１】
本発明は、液晶表示画面を有する工事現場用デジタルサイネージ装置に関する。
【背景技術】
【０００２】
道路工事などの工事現場には、工事情報等を知らせるための電子看板（デジタルサイネージ）が配置される。例えば、特許文献１では、液晶、ＬＥＤもしくは有機ＥＬパネルなどを備えたディスプレイ装置に工事規制情報を表示するデジタルサイネージ装置が示されている。
【０００３】
また、工事現場用のデジタルサイネージ装置は、工事現場の移動に伴って移動し、工事現場も建設現場、道路工事現場、事故現場など様々な工事現場で用いられるため、各工事現場に応じた情報を表示させたい場合がある。
【先行技術文献】
【特許文献】
【０００４】
【特許文献１】特開２０１３−５０８４０号公報
【発明の概要】
【発明が解決しようとする課題】
【０００５】
しかし、特許文献１に示されるデジタルサイネージ装置では交通量などの所定の情報のみを示しているが、天気情報、災害情報、又は各工事現場に応じた情報等の様々な情報をリアルタイムで、又はリアルタイムに近い状態で表示させたい。このように、取り扱う情報量が多くなる場合には、デジタルサイネージ装置の制御も複雑になる場合があるが、デジタルサイネージ装置に詳しくない者が工事現場で複雑な操作を行うことは困難であり、またデジタルサイネージ装置に詳しい者が、工事現場に常駐することはデジタルサイネージ装置の運用費用が高くなってしまい現実的でない。
【０００６】
本発明は、工事現場での設置及び設定が容易であり、様々な情報をリアルタイムで、又はリアルタイムに近い状態で表示させることができる工事現場用デジタルサイネージ装置を提供することを目的とする。
【課題を解決するための手段】
【０００７】
第１観点の工事現場用デジタルサイネージ装置は、本体部及び本体部を載置する台座部を有し、本体部の前面に液晶表示画面が配置され、工事現場に配置される工事現場用デジタルサイネージ装置である。本体部の内部には、液晶表示画面に画像を表示させる液晶表示画面制御部と、液晶表示画面制御部を制御する制御部と、液晶表示画面制御部及び液晶表示画面を冷却するための冷却部と、制御部に接続され本体部の内部と外部との間で無線通信により情報の送受信を行うための通信部と、が配置され、本体部の外側表面には１つのみのスイッチが配置されている。スイッチは、制御部が通電されている状態で押された場合には制御部を起動させ、制御部が起動している状態で押された場合には所定の停止過程を経た後に制御部を停止させる。また、本体部には防水、防塵加工がなされている。
【０００８】
第２観点の工事現場用デジタルサイネージ装置は、第１観点において、制御部が、本体部の外部より送られる制御データを、通信部を介して受信し、制御データを基に制御される。
【０００９】
第３観点の工事現場用デジタルサイネージ装置は、第２観点において、通信部では非接触型ＩＣチップの情報が受信される。
【００１０】
第４観点の工事現場用デジタルサイネージ装置は、第１観点から第３観点において、本体部の内部には制御部に接続され本体部の内部の温度を測定する温度測定部が配置される。また、冷却部は制御部に接続されて温度測定部の測定温度に応じて制御される。
【００１１】
第５観点の工事現場用デジタルサイネージ装置は、第１観点から第４観点において、冷却部が、本体部の前面の反対側の後面の下方に配置され本体部の内部に外気を取り入れるための通気口と、通気口から取り入れた外気を本体部の内部の上方に送るための第１冷却ファンと、後面の上方に取り付けられ本体部の内部の上方に送られた外気を本体部の外部に排出するための第２冷却ファンと、を備える。
【００１２】
第６観点の工事現場用デジタルサイネージ装置は、第１観点から第５観点において、本体部が、台座部上で前面方向にスライドし、又は台座部上において水平面内で回転する。
【００１３】
第７観点の工事現場用デジタルサイネージ装置は、第１観点から第６観点において、台座部が、地面から本体部に伝わる振動を減衰させる防振部を備える。
【発明の効果】
【００１４】
本発明の工事現場用デジタルサイネージ装置によれば、工事現場での設置及び設定が容易になり、様々な情報をリアルタイムで、又はリアルタイムに近い状態で表示させることができる。
【図面の簡単な説明】
【００１５】
【図１】（ａ）は、工事現場用デジタルサイネージ装置の斜視図である。  （ｂ）は、取手１１４の拡大図である。
【図２】（ａ）は、工事現場用デジタルサイネージ装置１００の右側面図である。  （ｂ）は、スイッチ部１１７の拡大図である。
【図３】（ａ）は、工事現場用デジタルサイネージ装置１００の後面図である。  （ｂ）は、上扉１１６ａ及び下扉１１６ｂが外された本体部１１０の後面図である。
【図４】工事現場用デジタルサイネージ装置１００の構成を示すブロック図である。
【図５】（ａ）は、工事現場用デジタルサイネージ装置１００を起動する場合のフローチャートである。  （ｂ）は、工事現場用デジタルサイネージ装置１００を停止させる場合のフローチャートである。
【図６】（ａ）は、工事現場用デジタルサイネージ装置２００の右側面図である。  （ｂ）は、工事現場に配置された工事現場用デジタルサイネージ装置２００が示された図である。
【図７】工事現場用デジタルサイネージ装置３００の斜視図である。
【図８】（ａ）は、工事現場用デジタルサイネージ装置４００の斜視図である。  （ｂ）は、工事現場用デジタルサイネージ装置５００の斜視図である。
【図９】工事現場用デジタルサイネージ装置６００の斜視図である。
【図１０】工事現場用デジタルサイネージ装置６００の構成を示すブロック図である。
【発明を実施するための最良の形態】
【００１６】
以下、本発明の実施の形態を図面に基づいて詳細に説明する。なお、本発明の範囲は以下の説明において特に本発明を限定する旨の記載がない限り、これらの形態に限られるものではない。
【００１７】
（第１実施形態）
＜工事現場用デジタルサイネージ装置１００の構成＞
図１（ａ）は、工事現場用デジタルサイネージ装置１００の斜視図である。工事現場用デジタルサイネージ装置１００は、前面に液晶表示画面１１１が配置される本体部１１０と、本体部１１０を載置する台座部１２０と、により構成されている。以下の説明では、本体部１１０の前面が向く方向をＸ軸方向、本体部１１０の高さ方向をＺ軸方向、Ｘ軸方向及びＺ軸方向に垂直な方向をＹ軸方向として説明する。
【００１８】
本体部１１０は、外形が直方体に形成され、前面（本体部１１０の＋Ｘ軸側の面）に液晶表示画面１１１が配置されている。また、上面（本体部１１０の＋Ｚ軸側の面）には工事現場用デジタルサイネージ装置１００を吊り上げるためのアイボルト１１２が取り付けられている。本体部１１０の両側面（本体部１１０の±Ｙ軸側の面）には本体部１１０を補強するためのサイドビーム１１３が配置されており、各サイドビーム１１３の上方及び下方にはそれぞれ取手１１４が取り付けられている。
【００１９】
台座部１２０は、＋Ｚ軸側に本体部１１０を載置するための天板１２１が配置され、−Ｚ軸側に工事現場用デジタルサイネージ装置１００を移動させるための車輪１２２が配置されている。本体部１１０は天板１２１に固定されている。
【００２０】
図１（ｂ）は、取手１１４の拡大図である。本体部１１０のサイドビーム１１３に固定される取手１１４は、ハンドル１１５を含んでいる。ハンドル１１５は、工事現場用デジタルサイネージ装置１００を移動させる場合には本体部１１０の側面に対して立てて用いられる、また、ハンドル１１５を使用しない場合には図１（ｂ）に示されるように本体部１１０の側面に沿うように寝かせられる。工事現場用デジタルサイネージ装置１００は取手１１４及び車輪１２２を備えるため容易に移動させることができ、設置場所を容易に変更することができる。
【００２１】
図２（ａ）は、工事現場用デジタルサイネージ装置１００の右側面図である。本体部１１０の−Ｘ軸側の面である後面には、２枚の扉が配置されている。後面の上側には上扉１１６ａが配置され、後面の下側には下扉１１６ｂが配置されている。上扉１１６ａ及び下扉１１６ｂは互いに独立しており、各扉を開けることにより本体部１１０の内部を開放することができる。また、本体部１１０の右側面の下方にはスイッチ部１１７が配置されている。
【００２２】
図２（ｂ）は、スイッチ部１１７の拡大図である。スイッチ部１１７は、本体部１１０に形成された窪み１１７ａに配置されるスイッチ１１７ｂと、本体部１１０の窪み１１７ａを覆う蓋１１７ｃと、を有している。蓋１１７ｃは例えば図２（ｂ）に示されるように、矩形形状の板に指を引っ掛けるための窪みが形成された簡易な構造であり、作業用手袋をはめた状態でも容易に開け閉めすることができる構造となっている。また、スイッチ１１７ｂは、作業用手袋をはめた状態でも容易に押すことができる大きさ、形状に形成されている。窪み１１７ａ内及びスイッチ１１７ｂは、漏電等が起こらないように、防水・防塵加工がなされている。
【００２３】
図３（ａ）は、工事現場用デジタルサイネージ装置１００の後面図である。本体部１１０の上扉１１６ａには上鍵１１８ａが取り付けられ、下扉１１６ｂには下鍵１１８ｂが取り付けられている。また、上扉１１６ａには、本体部１１０の内部に外気を取り入れるための通気口１３１と、本体部１１０の内部から内気を排出するための４つの第２冷却ファン１３２ｂと、が配置されている。通気口１３１及び第２冷却ファン１３２ｂには、本体部１１０の内部に水及び塵等が入らないように、防水、防塵加工がなされたフィルタ等が取り付けられている。また、通気口１３１は上扉１１６ａの下方に配置され、第２冷却ファン１３２ｂは上扉１１６ｂの上方に配置されている。外気を取り入れる通気口１３１は、内気を排出する第２冷却ファン１３２ｂよりも本体部１１０の内部に水及び塵等が入り易いが、通気口１３１が本体部１１０の下方に配置されることにより、万が一、通気口１３１から本体部１１０の内部に水及び塵等が侵入したとしても本体部１１０の内部の機器に水等が接触し難く、機器への影響を最小限に抑えることができる。
【００２４】
図３（ｂ）は、上扉１１６ａ及び下扉１１６ｂが外された本体部１１０の後面図である。本体部１１０の後面には、上部開口部１３３ａ及び下部開口部１３３ｂの２つの開口部が開けられており、上部開口部１３３ａは上扉１１６ａで閉じられ、下部開口部１３３ｂは下扉１１６ｂで閉じられる。また、上部開口部１３３ａ及び下部開口部１３３ｂの各開口部の周囲には、上部開口部１３３ａ及び下部開口部１３３ｂを取り囲むようにパッキング１３４が配置されている。パッキング１３４は、上扉１１６ａ又は下扉１１６ｂに密着して、本体部１１０と上扉１１６ａ又は下扉１１６ｂとの間から本体部１１０の内部に水及び塵等が入ることが防がれている。
【００２５】
上部開口部１３３ａには、液晶表示画面１１１、液晶表示画面制御部１３６、及び第１冷却ファン１３２ａが配置されている。液晶表示画面制御部１３６は液晶表示画面１１１を制御して液晶表示画面１１１に画像・動画等を表示させる。第１冷却ファン１３２ａは、通気口１３１から取り入れた外気を上方に移動させて液晶表示画面１１１及び液晶表示画面制御部１３６を冷却する。また、本体部１１０の内部には梁１３８が取り付けられており、液晶表示画面制御部１３６を梁１３８に取り付けることにより液晶表示画面１１１と液晶表示画面制御部１３６とをＸ軸方向に並べて配置することができ、本体部１１０の内部の空間が効率的に使用されている。
【００２６】
下部開口部１３３ｂには、電源１３５及び制御部１３７が配置されている。制御部１３７は主に液晶表示画面制御部１３６を制御して、液晶表示画面１１１に表示される画像・動画の選択、画像・動画を表示する順番、画像・動画の表示間隔、などを制御する。電源部１３５では外部電源１５０（図４参照）から電力の供給を受け、制御部１３７に電力を供給している。
【００２７】
図４は、工事現場用デジタルサイネージ装置１００の構成を示すブロック図である。本体部１１０に配置される電源１３５は、外部電源１５０に接続されている。外部電源１５０としては、例えば発電機が考えられる。工事現場では工事用機器を動かすために発電機が用いられているため、発電機から容易に電力を得ることができる。また、外部電源１５０を用いる代わりに又は外部電源１５０と共に、本体部１１０にバッテリーなどの内部電源（不図示）が配置されても良い。内部電源を備える場合は、外部電源１５０が使用できないような非常時にも工事現場用デジタルサイネージ装置を使用することができる。
【００２８】
制御部１３７は、電源１３５に接続されており、電源１３５から電力の供給を得ている。制御部１３７はスイッチ１１７ｂに接続されており、スイッチ１１７ｂが押されることにより制御部１３７の起動及び停止が制御される。また、制御部１３７は、液晶表示画面制御部１３６、第１通信部１３９、第１冷却ファン１３２ａ、及び第２冷却ファン１３２ｂの動作を制御している。さらに、制御部１３７には、液晶表示画面１１１に表示させるための画像・動画などが保存されている。これらの画像・動画などは、ＵＳＢ端子にパソコンを接続し、又はＣＤ、ＤＶＤ、メモリ等により制御部１３７内に移すことができる。
【００２９】
第１冷却ファン１３２ａ及び第２冷却ファン１３２ｂは、通気口１３１と共に、液晶表示画面制御部１３６及び液晶表示画面１１１を冷却する冷却部を構成する。また、本体部１１０の内部には、本体部１１０の内部、液晶表示画面制御部１３６、又は制御部１３７の温度を測定するための温度測定部１４０が配置されていても良い。温度測定部１４０は制御部１３７に接続され、本体部１１０の内部、液晶表示画面制御部１３６、又は液晶表示画面１１１の温度が所定の温度を超えた場合には第１冷却ファン１３２ａ及び第２冷却ファン１３２ｂを起動し、本体部１１０の内部、液晶表示画面制御部１３６、又は液晶表示画面１１１の温度が所定の温度よりも下がった場合には第１冷却ファン１３２ａ及び第２冷却ファン１３２ｂを停止させ、本体部１１０の内部、液晶表示画面制御部１３６、又は液晶表示画面１１１の過冷却を防ぎ、効率の良い冷却を行うことができる。工事現場用デジタルサイネージ装置１００では、空冷しているが、水冷により液晶表示画面制御部１３６及び液晶表示画面１１１を冷却しても良い。
【００３０】
液晶表示画面制御部１３６は、液晶表示画面１１１及び制御部１３７に接続されている。液晶表示画面制御部１３６は、制御部１３７に保存されている画像・動画などを液晶表示画面１１１に表示させる。表示させる画像・動画などの選択及び画像・動画などの表示時間などの制御は、制御部１３７で行われる。また、液晶表示画面１１１では、昼間、夜間等の外の明るさの変化により輝度を変えるように設定されても良い。例えば、昼間などの外が明るい状態では液晶表示画面１１１の輝度を高くして視認性を上げ、夜間などの外が暗い状態では輝度を落としても十分に視認性を確保できるため、液晶表示画面１１１の輝度を落として電力の消費を抑える。この場合には、工事現場用デジタルサイネージ装置に明暗センサ（不図示）を取り付けて、外の明るさを自動的に感知することにより、液晶表示画面１１１の輝度が自動的に調整されても良い。
【００３１】
第１通信部１３９は、本体部１１０の内部と外部との間で無線通信により情報の送受信を行うための通信部として本体部１１０の内部に配置されている。通信部は図３（ｂ）に示されていないが、上部開口部１３３ａ、下部開口部１３３ｂ、又は制御部１３７内に配置されることができる。第１通信部１３９は制御部１３７に接続されると共に、無線通信によりインターネット１５１に接続される。これにより、オペレーター１５２は、工事現場に居なくても、インターネット１５１及び第１通信部１３９を介して制御部１３７を制御することができる。
【００３２】
オペレーター１５２は、制御部１３７を制御することで、例えば、制御部１３７内に保存されている画像・動画などの表示を制御することができる。例えば、画像・動画などの表示は所定のプログラムに従って順番に表示されるが、オペレーター１５２はこのプログラムを変更することにより表示の制御を行うことができる。また、オペレーター１５２は新たな画像・動画などを制御部１３７に送信することができる。例えば、天候が悪化する場合には天気情報を、災害が発生した時には災害情報を、事故が発生した場合には事故情報を、渋滞が発生した場合には渋滞情報を、文字・画像・動画などにして制御部１３７に送信し、リアルタイムで、又はリアルタイムに近い状態で液晶表示画面１１１に表示させることができる。さらに、オペレーター１５２は、工事現場用デジタルサイネージ装置１００の情報を、インターネット１５１を介して受け取ることができるように設定しても良い。受け取る情報は、例えば、温度測定部１４０の温度情報、液晶表示画面１１１に表示させている画像情報などがある。また、工事現場用デジタルサイネージ装置１００に温度計、湿度計、カメラなどを取り付けて、工事現場の情報をリアルタイムで、又はリアルタイムに近い状態で得られるようにしても良い。
【００３３】
図５（ａ）は、工事現場用デジタルサイネージ装置１００を起動する場合のフローチャートである。図５（ａ）のフローチャートでは、工事現場用デジタルサイネージ装置１００が工事現場の所定の場所に配置された状態から、液晶表示画面１１１に所定の画像が映されるまでのフローが示されている。以下に、図５（ａ）を参照して、工事現場用デジタルサイネージ装置１００を起動方法について説明する。
【００３４】
ステップＳ１０１では、電源１３５が外部電源１５０に接続される。工事現場では、外部電源１５０として発電機が考えられるが、既に使用されている受電設備が外部電源１５０とされても良い。
【００３５】
ステップＳ１０２では、スイッチ１１７ｂが押される。スイッチ１１７ｂは一度押されるだけであり、工事現場用デジタルサイネージ装置１００に関して特別な知識が無くても行うことができる。
【００３６】
ステップＳ１０３では、制御部１３７が起動される。制御部１３７は、スイッチ１１７ｂが押されることにより、自動的に起動する。
【００３７】
ステップＳ１０４では、本体部１１０の内部の温度が測定され、第１冷却ファン１３２ａ及び第２冷却ファン１３２ｂが起動される。ステップＳ１０３で制御部１３７が起動された後に、温度測定部１４０により本体部１１０の内部の温度が自動的に測定される。測定した温度が所定の温度以上であれば、第１冷却ファン１３２ａ及び第２冷却ファン１３２ｂが起動されて液晶表示装置１３６及び制御部１３７が冷却される。
【００３８】
ステップＳ１０５では、液晶表示画面１１１に画像又は動画が表示される。ステップＳ１０５で表示される画像又は動画は予め制御部１３７内に保存してある画像又は動画であり、所定のプログラムに従って順番に表示される。
【００３９】
ステップＳ１０６では、通信部がインターネット１５１に接続され、制御部１３７のデータが更新される。具体的には、オペレーター１５２が、インターネット１５１及び第１通信部１３９を介して制御部１３７にアクセスし、制御部１３７内の画像表示プログラムを変更し、又は新たな画像データ・動画データを制御部１３７に追加することにより、制御部１３７のデータが更新される。
【００４０】
ステップＳ１０７では、更新後の画像が液晶表示画面１１１に表示される。ステップＳ１０６及びステップＳ１０７は、初期設定の状態で問題が無ければ行われなくても良い。
【００４１】
工事現場用デジタルサイネージ装置１００では、図５（ａ）に示されるように、現場作業者が行う作業は、電源１３５を外部電源１５０に繋ぎ、スイッチ１１７ｂを押すだけである。そのため、現場作業者は工事現場用デジタルサイネージ装置１００を取り扱うための特別な知識を習得する必要が無く、工事現場用デジタルサイネージ装置１００を取り扱うための特別な知識を持つ者が工事現場用デジタルサイネージ装置１００の設置現場に赴く必要もない。これにより、現場作業者の負担が減ることになり又は工事現場用デジタルサイネージ装置１００の運用費用の低減が図られる。また、工事現場用デジタルサイネージ装置１００の外側表面に１つのみのスイッチ１１７ｂしかない場合には、どのスイッチを押すべきか迷うことがなく、押すスイッチを間違えることがない。
【００４２】
図５（ｂ）は、工事現場用デジタルサイネージ装置１００を停止させる場合のフローチャートである。以下、図５（ｂ）を参照して、工事現場用デジタルサイネージ装置１００の停止方法について説明する。
【００４３】
ステップＳ２０１では、スイッチ１１７ｂが押される。制御部１３７が起動している最中にスイッチ１１７ｂが押された場合には、制御部１３７では自動的に停止するための動作が開始される。
【００４４】
ステップＳ２０２では、液晶表示画面制御部１３６及び冷却部が停止される。液晶表示画面制御部１３６及び冷却部は、制御部１３７が完全に停止する前に自動的に停止する。または、所定の時間が経過した後に自動的に停止するように設定されても良い。
【００４５】
ステップＳ２０３では、制御部１３７が停止される。制御部１３７のシステムは自動的にシャットダウンされ、安全に停止される。
【００４６】
図５（ｂ）に示されるように、工事現場用デジタルサイネージ装置１００を停止させる際にも現場作業者はスイッチ１１７ｂを押すのみである。そのため、工事現場用デジタルサイネージ装置１００に関する特別な知識を有さない者であっても、工事現場用デジタルサイネージ装置１００を安全に停止させることができる。
【００４７】
（第２実施形態）
工事現場用デジタルサイネージ装置は、工事現場に適した形状に変形しても良い。以下に、変形する工事現場用デジタルサイネージ装置２００及び工事現場用デジタルサイネージ装置３００について説明する。また、以降の説明では、第１実施形態で説明された部分と同じ部分に関しては第１実施形態と同じ符号を付してその説明を省略する。
【００４８】
＜工事現場用デジタルサイネージ装置２００の構成＞
図６（ａ）は、工事現場用デジタルサイネージ装置２００の右側面図である。工事現場用デジタルサイネージ装置２００は、本体部１１０及び台座部２２０により構成されている。台座部２２０は、第１実施形態の台座部１１０とは主に天板の形状が異なっている。台座部２２０は、台座部２２０の中央付近から＋Ｘ軸側の端まで伸びる天板２２１を有している。天板２２１の＋Ｚ軸側の面にはＸ軸方向に伸びるレール（不図示）が形成されており、本体部１１０はレールに沿って天板２２１上をＸ軸方向に動かすことができる。すなわち、本体部１１０は天板２２１上で台座部２２０の中央付近から＋Ｘ軸側の端まで状況に応じて動かすことができる。
【００４９】
図６（ｂ）は、工事現場に配置された工事現場用デジタルサイネージ装置２００が示された図である。工事現場には様々な現場があるが、例えば、マンションの工事現場等の建築物の工事現場の仮囲いは、採光及び防犯等のために一部が透明な仮囲いで形成される場合がある。図６（ｂ）では、このような工事現場と、工事現場に隣接した歩道と、工事現場と歩道との間を仕切る透明な仮囲い１５４Ａと、が示されている。透明な仮囲い１５４Ａは、骨材１５４Ｂにより形成された骨組により支えられている。また、工事現場側には、工事現場用デジタルサイネージ装置２００が、液晶表示画面１１１が歩道側に向けられて配置されている。これにより、歩道を通行する歩行者などに、工事の概要、工事の進捗状況、建物の完成予想図などを分かり易い画像、動画等で示すことができる。
【００５０】
例えば、図１（ａ）に示される工事現場用デジタルサイネージ装置１００では、工事現場用デジタルサイネージ装置１００を安定して立たせるために台座部１２０が本体部１１０の＋Ｘ軸側及び−Ｘ軸側に張り出ている。そのため、図６（ｂ）のような工事現場に工事現場用デジタルサイネージ装置を配置する場合には、液晶表示画面１１１が透明な仮囲い１５４Ａから離れてしまい、液晶表示画面１１１が歩道側から見難くなる場合があった。
【００５１】
工事現場用デジタルサイネージ装置２００では、図６（ｂ）に示されるように、天板２２１上で本体部１１０を＋Ｘ軸方向に移動させて本体部１１０を天板２２１の＋Ｘ軸側の端に移動させることにより、液晶表示画面１１１を透明な仮囲い１５４Ａの近くに配置することができる。これにより、液晶表示画面１１１を歩道側から見やすくすることができる。また、工事現場用デジタルサイネージ装置２００は、例えばロープ１５６により、骨材１５４Ｂにアイボルト１１２及び台座部２２０を結び付けて固定することにより支えることができる。なお、工事現場用デジタルサイネージ装置２００はロープ１５６等で骨材１５４Ｂに固定されることにより安定した状態で配置することができるが、本体部１１０を台座部２２０の＋Ｘ軸側に移動させた場合には工事現場用デジタルサイネージ装置２００の重心が＋Ｘ軸側に寄るため、さらに台座部２２０の−Ｘ軸側に錘１５３を載せる等して重心を台座部２２０の中心付近にもってくることにより工事現場用デジタルサイネージ装置２００をさらに安定させても良い。
【００５２】
＜工事現場用デジタルサイネージ装置３００の構成＞
図７は、工事現場用デジタルサイネージ装置３００の斜視図である。工事現場用デジタルサイネージ装置３００は、本体部１１０及び台座部３２０により構成されている。台座部３２０は天板３２１を有しており、その他の構成は台座部１２０と同じである。
【００５３】
台座部３２０では、本体部１１０が天板３２１の中心部（不図示）で天板３２１に結合され、天板３２１の中心部３２１は天板に対してＸＹ平面内で回転するように形成されている。そのため、本体部１１０は、図７の矢印で示されるように天板３２１上においてＸＹ平面内で回転できる。
【００５４】
工事現場用デジタルサイネージ装置は重量があるため、歩行者又は車のドライバーなどに見やすい角度に液晶表示画面１１１を向けるために微小角度の調整を行うことが困難な場合がある。また、工事現場用デジタルサイネージ装置の設置可能範囲が狭く、工事現場用デジタルサイネージ装置を好ましい角度に向けることが困難になる場合がある。工事現場用デジタルサイネージ装置３００では台座部３２０を動かさずに本体部１１０が向く角度を自由に変えることができるため、液晶表示画面１１１を好適な角度に向けることが容易である。
【００５５】
（第３実施形態）
工事現場用デジタルサイネージ装置は、地面に固定することで風雨等に強く、倒れにくいように形成されても良い。以下に、地面に固定される工事現場用デジタルサイネージ装置４００及び工事現場用デジタルサイネージ装置５００について説明する。
【００５６】
＜工事現場用デジタルサイネージ装置４００の構成＞
図８（ａ）は、工事現場用デジタルサイネージ装置４００の斜視図である。工事現場用デジタルサイネージ装置４００は、本体部４１０及び台座部４２０により構成されている。本体部４１０の内部の基本的な構成は本体部１１０と同じであり（図４参照）、本体部４１０の前面には液晶表示画面１１１が配置されている。また、本体部４１０の両側面にはサイドビーム４１３が配置されており、サイドビーム４１３は本体部４１０の更に下方に伸びて台座部４２０に固定されている。台座部４２０は板状に形成されており、四隅に杭４２１が地面に打ち付けられることにより地面に固定されている。
【００５７】
工事現場用デジタルサイネージ装置４００は、台座部４２０が地面に強く固定されるため、風雨に対して耐える力が特に強い。そのため、工事現場用デジタルサイネージ装置４００は、長期間、野外の同一場所に設置される場合等に用いることができる。
【００５８】
＜工事現場用デジタルサイネージ装置５００の構成＞
図８（ｂ）は、工事現場用デジタルサイネージ装置５００の斜視図である。工事現場用デジタルサイネージ装置５００は、本体部４１０及び台座部５２０により構成されている。台座部５２０は台座部５２０の＋Ｚ軸側に配置される天板５２１と、地板５２２と、を有している。天板５２１にはサイドビーム４１３が固定され、地板５２２は地面上に置かれ又は固定されている。天板５２１と地板５２２との間には、振動を抑えるための振動部５２３が配置されている。振動部５２３は、例えば防振ゴム、コイルばね等により形成される。
【００５９】
工事現場では、微小振動から強い振動まで様々な振動が継続的に発生する場合があるが、これらの振動により工事現場用デジタルサイネージ装置の内部機器の故障率が高くなる場合がある。工事現場用デジタルサイネージ装置５００では防振部５２３により振動が本体部４１０に伝わることを防ぐことにより、工事現場用デジタルサイネージ装置の内部機器を保護することができる。
【００６０】
（第４実施形態）
工事現場用デジタルサイネージ装置は、必ずしも通信状態が良い環境で用いられるわけではない。そのため、工事現場用デジタルサイネージ装置は通信状態が悪い環境でも容易に制御できることが望ましい。以下に、通信状態が悪い環境でも制御可能な工事現場用デジタルサイネージ装置６００について説明する。
【００６１】
＜工事現場用デジタルサイネージ装置６００の構成＞
図９は、工事現場用デジタルサイネージ装置６００の斜視図である。工事現場用デジタルサイネージ装置６００は、本体部６１０及び台座部１２０により構成されている。本体部６１０は、本体部１１０において、更に非接触式集積回路（非接触式ＩＣ）１５５に対して送受信を行うことができる第２通信部６３９（図１０参照）を備えている。また、本体部６１０の前面には、第２通信部６３９と通信する領域である通信領域６１９ａと、通信領域６１９ａの周りを囲むように配置されることにより通信領域６１９ａを示すと共に点滅すること等により送受信を受け付けていること及び送受信を行っていることなどを示す信号領域６１９ｂと、が配置されている。
【００６２】
図１０は、工事現場用デジタルサイネージ装置６００の構成を示すブロック図である。工事現場用デジタルサイネージ装置６００は、本体部６１０の内部に制御部１３７に接続される第２通信部６３９が配置されている点で工事現場用デジタルサイネージ装置１００（図４参照）とは異なっている。すなわち、工事現場用デジタルサイネージ装置６００の通信部は、第１通信部１３９及び第２通信部６３９により構成されている。
【００６３】
工事現場用デジタルサイネージ装置６００は、スイッチ１１７ｂが押された後に制御部１３７が起動し、第１通信部１３９がインターネット１５１への接続を試みると共に第２通信部６３９が非接触式ＩＣ１５５の入力を受け付ける。工事現場用デジタルサイネージ装置６００は、通信状態が良い環境に置かれている場合には、オペレーター１５２がインターネット１５１を介して制御部１３７を制御することができる。また、工事現場用デジタルサイネージ装置６００は、通信状態が悪い環境に置かれている場合には、非接触式ＩＣ１５５を介して制御部１３７を制御することができる。
【００６４】
非接触式ＩＣ１５５には、例えば携帯電話に備わる非接触式ＩＣを用いることができる。この場合、オペレーター１５２は、予め現場作業者の携帯電話に制御部１３７の制御情報を送信する。そして、現場作業者が携帯電話を通信領域６１９ａにかざして携帯電話内の制御情報を制御部１３７に伝え、制御部１３７の制御データを更新することができる。この方法では、工事現場用デジタルサイネージ装置６００が通信環境の悪い状態に置かれていたとしても、現場作業者が通信環境の良い場所で携帯電話に制御情報を受信することで制御部１３７の制御情報を更新することができる。
【００６５】
ＵＳＢ端子などの端子が本体部６１０の外側表面に露出し、ＵＳＢ端子等により接触して制御部１３７に接続する場合には、露出したＵＳＢ端子などに防水・防塵加工を行わなければならず、また、端子の劣化が進みやすくなるが、非接触式ＩＣを用いる方法では端子等が本体部６１０の外側表面に露出しないため、構造が簡易になり、故障を防ぐことができるため好ましい。
【００６６】
なお、工事現場用デジタルサイネージ装置６００では、非接触式ＩＣを用いる代わりに携帯電話に備わる赤外線通信等によりオペレーター１５２から送られる所定の制御情報を制御部１３７に送信するようにしても良い。また、携帯電話内に予め複数の制御情報を入れておき、例えば天候が悪くなった場合には天候が悪くなった場合の制御情報を制御部１３７に送信し、事故が起こった場合には事故への注意を呼びかける表示を含む制御情報を制御部１３７に送信すること等により、リアルタイムに近い状態で液晶表示画面１１１の表示を変更させるようにしても良い。さらに、携帯電話で簡単な文章を作成し、赤外線通信等により文章を制御部１３７に送信することで、作成した文章を液晶表示画面１１１に表示できるようにしても良い。これらの方法によれば、工事現場に応じた情報等の様々な情報をリアルタイムで、又はリアルタイムに近い状態で液晶表示画面１１１に表示させることができる。
【００６７】
以上、本発明の最適な実施形態について詳細に説明したが、当業者に明らかなように、本発明はその技術的範囲内において実施形態に様々な変更・変形を加えて実施することができる。また、各実施形態の特徴を様々に組み合わせて実施することができる。
【００６８】
例えば、通信部には第１通信部１３９を備えず、第２通信部６３９のみを備える構成としても良い。また、温度測定部１４０は、配置されなくても良い。この場合、工事現場用デジタルサイネージ装置の起動と共に冷却部が稼働し、工事現場用デジタルサイネージ装置の停止と共に冷却部が停止する。
【符号の説明】
【００６９】
１００、２００、３００、４００、５００、６００  …  工事現場用デジタルサイネージ装置
１１０、４１０、６１０  …  本体部
１１１  …  液晶表示画面
１１２  …  アイボルト
１１３、４１３  …  サイドビーム
１１４  …  取手
１１５  …  ハンドル
１１６ａ  …  上扉
１１６ｂ  …  下扉
１１７  …  スイッチ部
１１７ａ  …  窪み
１１７ｂ  …  スイッチ
１１７ｃ  …  蓋
１１８ａ  …  上鍵
１１８ｂ  …  下鍵
１２０、２２０、３２０、４２０、５２０  …  台座部
１２１、２２１、３２１  …  天板
１２２  …  車輪
１３１  …  通気口
１３２ａ  …  第１冷却フィン
１３２ｂ  …  第２冷却フィン
１３３ａ  …  上部開口部
１３３ｂ  …  下部開口部
１３４  …  パッキング
１３５  …  電源
１３６  …  液晶表示画面制御部
１３７  …  制御部
１３８  …  梁
１３９  …  第１通信部
１４０  …  温度測定部
１５０  …  外部電源
１５１  …  インターネット
１５２  …  オペレーター
１５３  …  錘
１５４Ａ  …  透明な仮囲い
１５４Ｂ  …  骨材
１５５  …  非接触式ＩＣ
１５６  …  ロープ
５２２  …  地板
５２３  …  防振部
６１９ａ  …  通信領域
６１９ｂ  …  信号領域
６３９  …  第２通信部
【図１】
0006014810.tif 000002
【図２】
0006014810.tif 000003
【図３】
0006014810.tif 000004
【図４】
0006014810.tif 000005
【図５】
0006014810.tif 000006
【図６】
0006014810.tif 000007
【図７】
0006014810.tif 000008
【図８】
0006014810.tif 000009
【図９】
0006014810.tif 000010
【図１０】
0006014810.tif 000011